(57)【要約】【課題】画像を多軸空間上に配置して表示すること。【解決手段】パソコン１００は、画像ファイルから複数の情報を取得する情報取得手段と、情報取得手段によって取得された複数の情報のそれぞれをパラメータ軸とした多軸空間を設定する多軸空間設定手段と、多軸空間設定手段によって設定された多軸空間上に、情報取得手段によって取得された複数の情報に基づいて、画像ファイルに対応する画像を配置する画像配置手段とを備える。【選択図】図１
2012169819.tif 000002
【特許請求の範囲】
【請求項１】
画像ファイルから複数の情報を取得する情報取得手段と、
前記情報取得手段によって取得された前記複数の情報のそれぞれをパラメータ軸とした多軸空間を設定する多軸空間設定手段と、
前記多軸空間設定手段によって設定された前記多軸空間上に、前記情報取得手段によって取得された前記複数の情報に基づいて、前記画像ファイルに対応する画像を配置する画像配置手段とを備えることを特徴とする画像表示装置。
【請求項２】
請求項１に記載の画像表示装置において、
前記多軸空間設定手段は、前記情報取得手段によって取得された２つの情報のそれぞれをパラメータ軸とした２軸空間、または前記情報取得手段によって取得された３つの情報のそれぞれをパラメータ軸とした３軸空間を設定することを特徴とする画像表示装置。
【請求項３】
請求項２に記載の画像表示装置において、
使用者からの指示に基づいて、前記２軸空間と前記３軸空間とを切り替える切替手段をさらに備えることを特徴とする画像表示装置。
【請求項４】
請求項３に記載の画像表示装置において、
前記切替手段は、前記３軸空間から前記２軸空間に切り替えるときに、前記３軸空間における３つのパラメータ軸の中から２つのパラメータ軸を選択することを特徴とする画像表示装置。
【請求項５】
請求項１〜４のいずれか一項に記載の画像表示装置において、
使用者からの指示に基づいて、前記多軸空間における軸の向きを変更する変更手段をさらに備えることを特徴とする画像表示装置。
【請求項６】
請求項１〜５のいずれか一項に記載の画像表示装置において、
前記情報取得手段は、画像ファイルから取得可能な情報の中から、使用者によって選択された複数の情報を取得することを特徴とする画像表示装置。
【請求項７】
請求項１〜６のいずれか一項に記載の画像表示装置において、
前記多軸空間上に配置する画像内から顔を検出する顔検出手段と、
前記画像配置手段は、前記顔検出手段によって顔が検出された画像のみを前記多軸空間上に配置することを特徴とする画像表示装置。
【請求項８】
請求項１〜７のいずれか一項に記載の画像表示装置において、
前記多軸空間上に配置された画像を拡大して表示する拡大表示手段をさらに備えることを特徴とする画像表示装置。
【請求項９】
請求項８に記載の画像表示装置において、
前記拡大表示手段によって拡大表示された画像に関連付けて、前記情報取得手段によって取得された情報を表示する情報表示手段をさらに備えることを特徴とする画像表示装置。
【請求項１０】
請求項１〜９のいずれか一項に記載の画像表示装置において、
使用者からの指示に基づいて、前記多軸空間上で所定の範囲を指定する範囲指定手段と、
前記範囲指定手段によって指定された範囲内を対象としたパラメータ軸を設定して、多軸空間を新たに設定し直す再設定手段とをさらに備えることを特徴とする画像表示装置。
【請求項１１】
請求項１〜９のいずれか一項に記載の画像表示装置において、
使用者からの指示に基づいて、前記多軸空間上で所定の範囲を指定する範囲指定手段と、
前記範囲指定手段によって指定された範囲内に表示されている画像のみを残して、他の画像を表示対象から除外する表示制御手段をさらに備えることを特徴とする画像表示装置。
【請求項１２】
画像ファイルから複数の情報を取得する情報取得手順と、
前記情報取得手順で取得した前記複数の情報のそれぞれをパラメータ軸とした多軸空間を設定する多軸空間設定手順と、
前記多軸空間設定手順で設定した前記多軸空間上に、前記情報取得手順で取得した前記複数の情報に基づいて、前記画像ファイルに対応する画像を配置する画像配置手順とをコンピュータに実行させるための画像表示プログラム。
【発明の詳細な説明】
【技術分野】
【０００１】
本発明は、画像表示装置、および画像表示プログラムに関する。
【背景技術】
【０００２】
次のような撮影画像表示装置が知られている。この撮影画像表示装置は、カレンダー表示を利用して画像を撮影日時別に表示する（例えば、特許文献１）。
【先行技術文献】
【特許文献】
【０００３】
【特許文献１】特開２００６−２３８４７４号公報
【発明の概要】
【発明が解決しようとする課題】
【０００４】
しかしながら、従来の撮影画像管理装置は、画像の撮影日時に基づいてカレンダー上に画像を表示するのみで、撮影情報に基づいた多軸空間上に画像を配置することはできなかった。
【課題を解決するための手段】
【０００５】
本発明による画像表示装置は、画像ファイルから複数の情報を取得する情報取得手段と、情報取得手段によって取得された複数の情報のそれぞれをパラメータ軸とした多軸空間を設定する多軸空間設定手段と、多軸空間設定手段によって設定された多軸空間上に、情報取得手段によって取得された複数の情報に基づいて、画像ファイルに対応する画像を配置する画像配置手段とを備えることを特徴とする。
本発明による画像表示プログラムは、画像ファイルから複数の情報を取得する情報取得手順と、情報取得手順で取得した複数の情報のそれぞれをパラメータ軸とした多軸空間を設定する多軸空間設定手順と、多軸空間設定手順で設定した多軸空間上に、情報取得手順で取得した複数の情報に基づいて、画像ファイルに対応する画像を配置する画像配置手順とをコンピュータに実行させることを特徴とする。
【発明の効果】
【０００６】
本発明によれば、画像ファイルから取得できる情報に基づいた多軸空間上に画像を配置することができる。
【図面の簡単な説明】
【０００７】
【図１】パソコンの一実施の形態の構成を示すブロック図である。
【図２】画像表示処理の流れを示すフローチャート図である。
【図３】サムネイル画像を一覧表示する一覧画面の具体例を示す第１の図である。
【図４】サムネイル画像を一覧表示する一覧画面の具体例を示す第２の図である。
【図５】３軸空間上に画像を配置した場合の具体例を示す第１の図である。
【図６】３軸空間上に画像を配置した場合の具体例を示す第２の図である。
【図７】２軸空間上に画像を配置した場合の具体例を示す第１の図である。
【図８】２軸空間上に画像を配置した場合の具体例を示す第２の図である。
【図９】２軸空間上に画像を配置した場合の具体例を示す第３の図である。
【図１０】２軸空間上に画像を配置した場合の具体例を示す第４の図である。
【図１１】２軸空間上で画像を拡大表示した場合の具体例を示す第１の図である。
【図１２】２軸空間上で画像を拡大表示した場合の具体例を示す第２の図である。
【発明を実施するための形態】
【０００８】
図１は、本実施の形態における画像表示装置の一実施の形態の構成を示すブロック図である。画像表示装置としては、例えば、パーソナルコンピュータ（パソコン）１００が用いられ、このパソコン１００は、操作部材１０１と、接続ＩＦ（インターフェース）１０２と、制御装置１０３と、ＨＤＤ（ハードディスクドライブ）１０４と、モニタ１０５とを備えている。
【０００９】
操作部材１０１は、使用者によって操作される種々の装置、例えばキーボードやマウスを含む。接続ＩＦ１０２は、パソコン１００と外部機器とを接続するためのインターフェースである。本実施の形態では、パソコン１００は、この接続ＩＦ１０２を介してデジタルカメラと接続され、デジタルカメラからは撮影によって得られた画像ファイルが取り込まれる。なお、接続ＩＦ１０２としては、パソコン１００とデジタルカメラとを有線接続するためのＵＳＢインターフェースや、無線接続するための無線ＬＡＮモジュールなどが用いられる。
【００１０】
制御装置１０３は、ＣＰＵ、メモリ、およびその他の周辺回路によって構成され、パソコン１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリを含む。
【００１１】
ＨＤＤ１０４は、接続ＩＦ１０２を介して取り込まれた画像ファイル、すなわち通常ファイルや連写ファイルのデータや、制御装置１０３で実行される種々のプログラムのデータ等を記録するための記録装置である。なお、ＨＤＤ１０４に記録されるプログラムのデータは、ＣＤ−ＲＯＭやＤＶＤ−ＲＯＭなどの記憶媒体に記録されて提供され、使用者が当該記憶媒体を用いてプログラムのデータをＨＤＤ１０４にインストールすることによって、制御装置１０３がプログラムを実行できるようになる。本実施の形態では、ＨＤＤ１０４には、画像を表示するための画像表示アプリケーションがインストールされている。モニタ１０５は、例えば液晶モニタであって、制御装置１０３から出力される種々の表示用データが表示される。
【００１２】
本実施の形態におけるパソコン１００では、使用者は、画像表示のアプリケーションを起動して、ＨＤＤ１０４に記録されている画像ファイルの画像を閲覧することができる。このために、制御装置１０３は、使用者によって画像表示アプリケーションの実行が指示されると、以下の処理を実行する。図２は、本実施の形態における画像表示処理の流れを示すフローチャートである。以下、この図２を用いて画像表示処理の詳細について説明する。
【００１３】
ステップＳ１０において、制御装置１０３は、ＨＤＤ１０４から画像ファイルを読み出し、一覧画面上にサムネイル画像を一覧表示する。例えば、制御装置１０３は、図３に示すような一覧画面をモニタ１０５に表示し、該一覧画面上にＨＤＤ１０４から読み出した画像ファイルのサムネイル画像を一覧表示する。具体的には、制御装置１０３は、ヘッダ部に記録されているサムネイル画像データを読み出して、一覧画面上に配置する。
【００１４】
図３に示す一覧画面では、表示するサムネイル画像が一覧画面内に収まらない場合には、使用者は、スクロールバー３ａを操作して画面をスクロールさせることにより、他のサムネイル画像を表示させることができる。また、使用者は、一覧画面上に配置されているフォルダ選択ボタン３ｂを押下することにより、ＨＤＤ１０４内の画像ファイルを読み込むフォルダを変更することができる。
【００１５】
その後、ステップＳ２０へ進み、制御装置１０３は、使用者によって、一覧画面上に配置されている終了ボタン３ｄを押下されたか否かを判断する。ステップＳ２０で肯定判断した場合には、制御装置１０３は、図２の処理を終了して、アプリケーションを終了する。これに対して、ステップＳ２０で否定判断した場合には、ステップＳ３０へ進む。
【００１６】
ステップＳ３０では、制御装置１０３は、使用者によって、一覧画面上に配置されているマッピング表示ボタン３ｃが押下されたか否かを判断する。本実施の形態では、使用者は、一覧画面上に表示されているサムネイル画像の中から任意のサムネイル画像を選択してマッピング表示ボタン３ｃを押下することにより、選択したサムネイル画像を多軸空間上にマッピングして表示させることができる。例えば、使用者は、図４に示すように、枠で囲んで示したサムネイル画像４ａ〜４ｇを選択して、マッピング表示ボタン３ｃを押下することによって、図５示すように、これらのサムネイル画像４ａ〜４ｇを３軸空間上にマッピングして表示するように指示することができる。ステップＳ３０で否定判断した場合には、ステップＳ２０へ戻る。これに対して、ステップＳ３０で肯定判断した場合には、ステップＳ４０へ進む。
【００１７】
ステップＳ４０では、制御装置１０３は、一覧画面上で選択されたサムネイル画像を、図５に示すような３軸空間上にマッピングして表示する。３軸空間を構成するそれぞれの軸には、撮影条件を示すパラメータ値が用いられる。それぞれのパラメータ軸に用いる撮影条件は、使用者によってあらかじめ設定されているものとする。制御装置１０３は、一覧画面上で選択された各サムネイル画像に対応する画像ファイルのヘッダ部から、各軸に対応する撮影条件データを取得し、取得した撮影条件データに基づいて、３軸空間上にサムネイル画像を配置する。
【００１８】
なお、図５は、被写体までの（合焦位置までの）撮影距離、撮影時のレンズの焦点距離、撮影時のレンズの絞り値をＸ軸、Ｙ軸、Ｚ軸とした３軸空間上に、それぞれの画像ファイルから読み出したパラメータに応じてサムネイル画像をマッピングして配置した例を示している。これらの撮影条件は、ポートレート画像を評価するために重要な条件となるため、このようにＸ軸、Ｙ軸、Ｚ軸を設定することにより、使用者は、３軸空間上でポートレート画像を容易に比較することができる。
【００１９】
図５に示すように、サムネイル画像をマッピング表示するためのマッピング画面上には、３軸表示ボタン５ａ、２軸表示ボタン５ｂ、軸選択ボタン５ｃ〜５ｅ、表示対象選択ボタン５ｆ〜５ｈ、閉じるボタン５ｉ、およびビュー変更用アイコン５ｊが表示されている。これらの表示項目についての詳細は後述する。
【００２０】
その後、ステップＳ５０へ進み、制御装置１０３は、使用者によって、それぞれの軸の向きを変更するためのビュー変更操作がなされたか否かを判断する。本実施の形態では、使用者は、図５に示したマッピング表示画面上に配置されたビュー変更用アイコン５ｊを操作して、３軸空間を構成するそれぞれの軸の向きを変更するように指示することができる。ステップＳ５０で否定判断した場合には、後述するステップＳ７０へ進む。これに対して、ステップＳ５０で肯定判断した場合には、ステップＳ６０へ進む。
【００２１】
ステップＳ６０では、制御装置１０３は、使用者によるビュー変更用アイコン５ｊの操作に基づいて、３軸空間を構成するそれぞれの軸の向きを変更する。例えば、使用者によってビュー変更用アイコン５ｊが操作されて、Ｘ軸とＹ軸の向きの変更が指示された場合には、図６に示すように軸の向きを変更する。その後、ステップＳ７０へ進む。
【００２２】
ステップＳ７０では、制御装置１０３は、使用者によって２軸表示ボタン５ｂが押下されることによって、マッピング画面の表示を３軸表示から２軸表示に切り替えるように指示されたか否かを判断する。ステップＳ７０で否定判断した場合には、後述するステップＳ９０へ進む。これに対して、ステップＳ７０で肯定判断した場合には、ステップＳ８０へ進む。
【００２３】
ステップＳ８０では、制御装置１０３は、図７に示すように、マッピング画面内の表示をＸ軸とＹ軸とで構成される２軸表示に切り替える。このときの２軸としては、図５、６に示した３軸に用いた３つのパラメータのうちの２つのパラメータが用いられる。そして、どのパラメータを用いるかは、使用者が軸選択ボタン５ｃ〜５ｅを操作して選択することができる。具体的には、使用者は、軸選択ボタン５ｃを選択することにより、上述した３つのパラメータのうち、撮影距離と焦点距離とを２軸空間を構成する軸として選択することができる。また、使用者は、軸選択ボタン５ｄを選択することにより、上述した３つのパラメータのうち、撮影距離と絞り値とを２軸空間を構成する軸として選択することができる。また、使用者は、軸選択ボタン５ｅを選択することにより、上述した３つのパラメータのうち、焦点距離と絞り値とを２軸空間を構成する軸として選択することができる。
【００２４】
例えば、使用者によって軸選択ボタン５ｃが選択された場合には、制御装置１０３は、図７に示すように、Ｘ軸に撮影距離、Ｙ軸に焦点距離をとった２軸空間上に、一覧画面上で選択されたサムネイル画像を配置して表示する。また、使用者によって軸選択ボタン５ｅが選択された場合には、制御装置１０３は、図８に示すように、Ｘ軸に焦点距離、Ｙ軸に絞り値をとった２軸空間上に、一覧画面上で選択されたサムネイル画像を配置して表示する。その後、ステップＳ９０へ進む。
【００２５】
ステップＳ９０では、制御装置１０３は、使用者によって３軸表示ボタン５ａが押下されることによって、マッピング画面の表示を２軸表示から３軸表示に切り替えるように指示されたか否かを判断する。ステップＳ９０で否定判断した場合には、後述するステップＳ１１０へ進む。これに対して、ステップＳ９０で肯定判断した場合には、ステップＳ１００へ進み、制御装置１０３は、マッピング画面内の表示を図５や図６に示したような３軸表示に切り替える。その後、ステップＳ１１０へ進む。
【００２６】
ステップＳ１１０では、制御装置１０３は、使用者によって表示対象選択ボタン５ｆ〜５ｈが操作されることによって、表示対象が選択されたか否かを判断する。ステップＳ１１０で否定判断した場合には、後述するステップＳ１３０へ進む。これに対して、ステップＳ１１０で肯定判断した場合には、ステップＳ１２０へ進む。
【００２７】
ステップＳ１２０では、制御装置１０３は、使用者による表示対象選択ボタン５ｆ〜５ｈの操作状況に応じて、多軸空間（２軸空間または３軸空間）上にマッピングして表示するサムネイル画像を切り替える。本実施の形態では、使用者によって表示対象選択ボタン５ｆが選択されると、制御装置１０３は、一覧画面上で選択された全てのサムネイル画像を多軸空間（２軸空間または３軸空間）上にマッピングして表示する。ここでは、この表示対象選択ボタン５ｆが初期選択されているものとする。
【００２８】
また、使用者によって表示対象選択ボタン５ｇが選択されると、制御装置１０３は、図９に示すように、一覧画面上で選択されたサムネイル画像の中から人物が写っているサムネイル画像のみを抽出して、多軸空間（２軸空間または３軸空間）上にマッピングして表示する。このとき、例えば、制御装置１０３は、一覧画面上で選択された全てのサムネイル画像を対象として公知の顔検出処理を実行し、顔が検出されたサムネイル画像のみを多軸空間上にマッピングして表示する。また、使用者によって表示対象選択ボタン５ｈが選択されると、図１０に示すように、制御装置１０３は、一覧画面上で選択されたサムネイル画像の中から人物が写っていないサムネイル画像のみを抽出して、多軸空間（２軸空間または３軸空間）上にマッピングして表示する。このとき、例えば、制御装置１０３は、一覧画面上で選択された全てのサムネイル画像を対象として公知の顔検出処理を実行し、顔が検出されなかったサムネイル画像のみを多軸空間上にマッピングして表示する。その後、ステップＳ１３０へ進む。
【００２９】
ステップＳ１３０では、制御装置１０３は、使用者によって多軸空間上にマッピング表示中のサムネイル画像に対して、拡大表示が指示されたか否かを判断する。例えば、使用者は、いずれかのサムネイル画像をマウスを操作してクリックすることにより、サムネイル画像の拡大表示を指示することができる。ステップＳ１３０で否定判断した場合には、後述するステップＳ１５０へ進む。これに対して、ステップＳ１３０で肯定判断した場合には、ステップＳ１４０へ進む。
【００３０】
ステップＳ１４０では、制御装置１０３は、使用者によって拡大が指示されたサムネイル画像を拡大表示する。例えば、制御装置１０３は、使用者によって１つのサムネイル画像がクリックされた場合には、図１１に示すように、ポップアップ画面１１ａを表示することにより。使用者によって拡大が指示された１つのサムネイル画像を拡大表示する。このとき、制御装置１０３は、画像ファイルのヘッダ部から撮影条件等の詳細情報を読み出して、ポップアップ画面１１ａ内に表示する。これによって、使用者は、サムネイル画像を拡大して確認するとともに、画像の詳細情報も確認することができる。
【００３１】
あるいは、制御装置１０３は、使用者によって複数のサムネイル画像がクリックされた場合には、複数のサムネイル画像に対応するポップアップ画面を同時に表示する。例えば、使用者によって２つのサムネイル画像がクリックされた場合には、制御装置１０３は、図１２に示すように、ポップアップ画面１２ａと１２ｂとを表示することにより。使用者によって拡大が指示された２つのサムネイル画像を拡大表示する。この場合も、制御装置１０３は、画像ファイルのヘッダ部から撮影条件等の詳細情報を読み出して、それぞれのポップアップ画面内に表示する。これによって、使用者は、複数のサムネイル画像を同時に拡大して確認するとともに、それぞれの画像の詳細情報を確認することができる。
【００３２】
その後、ステップＳ１５０へ進み、制御装置１０３は、使用者によって閉じるボタン５ｉが押下されたか否かを判断する。ステップＳ１５０で否定判断した場合には、ステップＳ５０へ戻る。これに対して、ステップＳ１５０で肯定判断した場合には、ステップＳ１０へ戻り、マッピング画面を閉じて、図３に示した一覧画面を表示する。
【００３３】
以上説明した本実施の形態によれば、以下のような作用効果を得ることができる。
（１）制御装置１０３は、画像ファイルのヘッダ部から取得した撮影条件データをパラメータ軸とした多軸空間を設定し、該多軸空間上に一覧画面上で選択されたサムネイル画像をマッピング表示するようにした。これによって、使用者は、多軸空間上におけるサムネイル画像の位置から、それぞれの画像の撮影条件を視覚的に把握することができる。
【００３４】
（２）制御装置１０３は、使用者からの指示に基づいて、２軸空間と３軸空間とを切り替えるようにした。これによって、使用者は、２軸空間と３軸空間とを切り替えながら画像を閲覧することが可能となる。
【００３５】
（３）制御装置１０３は、使用者によるビュー変更用アイコン５ｊの操作に応じて、多軸空間における軸の向きを変更するようにした。これによって、使用者は軸の向きを任意に変更することができる。
【００３６】
（４）多軸空間を構成するそれぞれのパラメータ軸に用いる撮影条件は、使用者によってあらかじめ設定されているものとし、制御装置１０３は、画像ファイルのヘッダ部から取得可能な情報の中から、使用者によって選択された撮影条件を取得して、サムネイル画像をマッピング表示するようにした。これによって、使用者は、多軸表示におけるパラメータ軸を任意に設定することができる。
【００３７】
（５）制御装置１０３は、表示対象選択ボタン５ｇが選択された場合には、顔が検出された画像のみを多軸空間上に配置するようにした。これによって、使用者は、人物が写っている画像のみを抽出して閲覧することが可能となる。
【００３８】
（６）制御装置１０３は、使用者によって画像の拡大が指示された場合には、ポップアップ画面を表示した画像を拡大表示するようにした。これによって、使用者は、画像を拡大して閲覧することが可能となる。
【００３９】
（７）制御装置１０３は、画像を拡大する際には、画像ファイルのヘッダ部から撮影条件等の詳細情報を読み出して、ポップアップ画面内に表示するようにした。これによって、使用者は、サムネイル画像を拡大して確認するとともに、画像の詳細情報も確認することができる。
【００４０】
―変形例―
なお、上述した実施の形態の画像表示装置は、以下のように変形することもできる。
（１）上述した実施の形態の図５〜図１２に示した多軸空間においては、多軸空間を構成する軸には目盛りが付されていないが、各軸に目盛りを付すようにしてもよい。このとき、撮影距離の軸に関しては、リニアな目盛りではなく対数的な目盛りを付すようにしてもよい。
【００４１】
（２）上述した実施の形態の図５〜図１２に示した多軸空間上で、使用者が所定の範囲を指定できるようにしてもよい。そして、制御装置１０３は、使用者によって範囲が指定された場合には、指定された範囲内を対象としたパラメータ軸を設定して、多軸空間を新たに設定し直すようにしてもよい。あるいは、制御装置１０３は、使用者によって範囲が指定された場合には、指定された範囲内に表示されている画像のみを残して、他の画像を表示対象から除外するようにしてもよい。
【００４２】
（３）上述した実施の形態では、３軸表示ボタン５ａ、２軸表示ボタン５ｂを操作して、使用者が任意に２軸表示と３軸表示を切り替えられる例について説明した。制御装置１０３は、マッピング画面が閉じられるときには、そのときの表示状態、すなわち２軸表示中か３軸表示中かを示す情報をメモリに記録しておき、次回のマッピング画面表示時には、前回の表示状態となるようにしてもよい。例えば、２軸表示中にマッピング画面が閉じられた場合には、次回は、２軸表示の状態でマッピング画面の表示を行うようにすれば良い。
【００４３】
（４）上述した実施の形態では、多軸空間を構成するパラメータ軸に用いる撮影条件は、使用者によってあらかじめ設定されている例について説明した。この場合、各画像ファイル内にパラメータ軸に用いる撮影条件のパラメータ値が記録されているか否かを図３、４に示した一覧画面上で使用者が把握できるようにしてもよい。例えば、制御装置１０３は、一覧画面上に表示された各サムネイル画像に関連付けて、パラメータ軸に用いる撮影条件のパラメータ値が記録されているか否かを示す情報を表示するようにしてもよい。
【００４４】
（５）上述した実施の形態では、図１１や図１２に示すように、マッピング画面上にポップアップ画面を表示して画像を拡大する例について説明した。しかしながら、使用者によって画像の拡大表示が指示された場合には、制御装置１０３は、別画面を表示して、該別画面内に拡大画像を表示するようにしてもよい。
【００４５】
（６）上述した実施の形態では、画像表示装置としてパソコン１００を用いる例について説明した。しかしながら、画像ファイルや動画ファイルを読み出して表示することができる他の装置、例えば、携帯端末やデジタルカメラ等にも本発明を適用することができる。
【００４６】
（７）上述した実施の形態では、撮影時のレンズの焦点距離をパラメータとして用いて、画像を２軸空間、または３軸空間上に表示するようにした。この場合、レンズの焦点距離は撮影画角に影響するが、レンズの焦点距離が同じでも撮像素子の大きさが異なれば画角も異なってくる。すなわち、撮影に用いた撮像素子が異なる画像が混在している場合には、焦点距離のみでは一律な比較がしにくい。そこで、制御装置１０３は、例えば、ＡＰＳ−Ｃサイズの撮像素子で撮影した画像データについては、焦点距離を３５ｍｍ判相当の焦点距離に自動換算するようにしてもよい。また、３５ｍｍ判相当に自動換算するのを好まないユーザー向けにこの切り替えをオプション設定で用意してもよい。さらに、上述した実施の形態では、焦点距離をパラメータとして用いたが、制御装置１０３は、定義された算出式を利用して焦点距離と撮像素子サイズから画角を算出して、焦点距離の代わりに、算出した画角をパラメータとして用いるようにしてもよい。
【００４７】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４８】
１００  パソコン、１０１  操作部材、１０２  接続ＩＦ、１０３  制御装置、１０４  ＨＤＤ、１０５  モニタ
【図１】
2012169819.tif 000003
【図２】
2012169819.tif 000004
【図３】
2012169819.tif 000005
【図４】
2012169819.tif 000006
【図５】
2012169819.tif 000007
【図６】
2012169819.tif 000008
【図７】
2012169819.tif 000009
【図８】
2012169819.tif 000010
【図９】
2012169819.tif 000011
【図１０】
2012169819.tif 000012
【図１１】
2012169819.tif 000013
【図１２】
2012169819.tif 000014